(57)【特許請求の範囲】
【請求項１】
被加工物を載置するワークテーブルとベースプレートとが複数本の伸縮可能な棒状部材で連結され、該棒状部材の伸縮及び旋回によって前記ワークテーブルの位置と傾きとを制御するパラレルリンク機構を備えた曲面加工装置であって、
前記被加工物の加工工具との接点における法線と該加工工具とが為す角度を一定に保つように前記ワークテーブル側のみの運動によって該被加工物の走査及び傾斜姿勢を制御する手段と、
球状又は樽状で弾性を備え加工時には弾性変形を生じて微小面積で前記被加工物と圧接する加工工具と該被加工物との接触圧を一定に保つ手段と、
前記加工工具の走査速度を制御することにより前記被加工物に対する加工量を調整する手段と、
を有し、
前記加工工具は、樹脂材料を主成分とする多孔質構造であり、研磨材としての砥粒は、加工時に外部から供給しながら走査することを特徴とする曲面加工装置。
【請求項２】
被加工物を載置するワークテーブルとベースプレートとが複数本の伸縮可能な棒状部材で連結され、該棒状部材の伸縮及び旋回によって前記ワークテーブルの位置と傾きとを制御するパラレルリンク機構を備えた曲面加工装置であって、
前記ワークテーブルの上面に前記被加工物を回転させる回転テーブルをさらに備え、
前記被加工物を回転させながら加工工具を走査させ、前記被加工物の前記加工工具との接点における法線と該加工工具とが為す角度を一定に保つように前記ワークテーブル側のみの運動によって該被加工物の傾斜姿勢を制御する手段と、
球状又は樽状で弾性を備え加工時には弾性変形を生じて微小面積で前記被加工物と圧接する加工工具と該被加工物との接触圧を一定に保つ手段と、
前記加工工具の走査速度を制御することにより前記被加工物に対する加工量を調整する手段と、
を有し、
前記加工工具は、樹脂材料を主成分とする多孔質構造であり、研磨材としての砥粒は、加工時に外部から供給しながら走査することを特徴とする曲面加工装置。
【請求項３】
曲面加工装置におけるパラレルリンク機構のキャリブレーション方法であって、
前記ワークテーブル上に球面原器をクランプし、前記ベースプレートに対する前記ワークテーブルの変位を検出する変位センサと、前記球面原器表面の傾きを検出するコリメータと、を配置し、
前記コリメータの光軸が前記球面原器表面と直交する姿勢を維持しつつ該球面原器表面に対して走査するように前記ワークテーブルを動作させて、該ワークテーブルの実変位及び該実変位に同期した前記球面原器表面の光軸に対する傾きデータを取得し、
前記実変位と前記傾きデータとの値に基づいて前記パラレルリンク機構の位置制御パラメータを同定することを特徴とする請求項１または２記載の曲面加工装置におけるパラレルリンク機構のキャリブレーション方法。
【発明の詳細な説明】
【技術分野】
【０００１】
本発明は、レーザビームプリンタ及びデジタル複写機のｆθレンズとして適用される自由曲面レンズなどの光学素子又はその金型を形成するための曲面加工装置に関する。
【背景技術】
【０００２】
レーザプリンタの書き込み系に用いるｆθレンズには、非球面や自由曲面形状が採用されている。ｆθレンズを低コストで大量生産するために、射出成型法を用いたレンズ製造方法が開発されている。射出成形によるレンズ成形工程では、光学面を成形する入れ駒の形状精度が、樹脂レンズの性能に直接影響を与えるため、入れ駒にはサブミクロンオーダーの極めて高い形状精度が要求される。
【０００３】
通常、光学素子の入れ駒は、フライカッティング形態のダイヤモンド切削で製作されているが、入れ駒の形状精度をさらに高めるため、小径の研磨工具をごく小さい部分にのみ作用させ、滞留時間制御で形状誤差を修正して精度を高める工法が多数考案されている。
【０００４】
研磨工具としては、回転工具に砥粒を供給するものや砥粒を内包する固定砥粒工具が従来から用いられているが、最近では、磁性流体を用いて砥粒を作用させるアブレイシブジェットなどの方法も考案されている。
【０００５】
いずれの工法においても、滞留時間制御で形状修正を実施しており、単位時間当たりの除去体積（以下、除去能率と表記する）が一定であることを前提としている。
【０００６】
除去能率が加工位置で変化すると、加工誤差の増加につながるため、極力その変化を抑制する必要がある。
【０００７】
例えば、荷重転写で除去を行う研磨加工の場合、被加工面の傾斜による影響を低減するために、研磨荷重方向と加工点での法線とを常に一致させるように傾斜角の制御が行われる。ｆθレンズの光学面において光軸との直交面を０度とすると、最大で５０度程度のものまで実用されており、傾斜角の姿勢制御は精度確保の上で必須となっている。
【０００８】
磁性流体研磨やアブレイシブジェット加工においてもノズルの噴射方向と加工点での法線とがなす角度を常に一定とすることで、除去体積が安定し、加工精度が向上する。
【０００９】
工具の走査と傾斜角の姿勢制御とを行うために、従来は５軸制御（直動の直交３軸と回転２軸）の位置決め機構を用いていた。また、研磨荷重方向の位置決め軸を不要とした場合は、４軸制御（直動の直交２軸とそれぞれの軸周りである回転２軸）の位置決め機構を用いていた。
【００１０】
特許文献１には、汎用のマシニングセンタに多用されている傾斜機構が示されている。この他には、ｆθレンズ光学面の傾斜が主走査方向に大で副走査方向に小であることを考慮して、回転ステージとゴニオステージとを組み合わせることで装置の省スペース化を図った特許文献２のような構成も開示されている。
【００１１】
副走査方向の角度範囲を限定しゴニオステージを利用した構成を図８に示す。この装置は、固定ベース１０１、片持ち支持部材１０２、コロ軸受付きダイレクトドライブモータ１０３、スインガ１０４、サブスインガ（ゴニオステージ）１０６、マグネットヘッド１０７及び揺動角規制センサ１０８を有する。
片持ち支持部材１０２は、固定ベース１０１に固定して設置されている。コロ軸受付きダイレクトドライブモータ１０３は、片持ち支持部材１０２に回転軸（出力軸）が水平方向となるように取り付けられて揺動部材を揺動させる。スインガ１０４は、コロ軸受付きダイレクトドライブモータ１０３の回転軸の端部に揺動可能に固定された揺動部材である。揺動角規制センサ１０８は、スインガ１０４の揺動角を規制するためのセンサである。スインガ１０４は、スインガベース１０５とスインガベース１０５上に固定されたサブスインガ１０６と研磨対象部材を磁気吸着するためのマグネットヘッド１０７とを有する。サブスインガ１０６は、スインガ１０４の揺動中心軸Ｊと直交方向でスイングベース１０５と平行な面内に揺動中心軸を持ち、スインガ４と直交方向に揺動可能に配置されている。
【００１２】
この構成においても、その装置寸法は加工物の寸法に対して十分に小さいとは言えない。特に、揺動装置のみでも２０〜３０ｋｇをゆうに超える重さがあるため、これを高速駆動するには直交３軸の直動機構の大型化は避けられない。また、滞留時間制御で形状創成研磨を行うためには、急峻な加減速を４軸又は５軸同時に行う必要があり、各軸に大出力のモータ、そしてこれらを高速高精度に制御する制御機構が必要となる。
【００１３】
研磨という加工プロセス自体は、切削加工と比較して小さい転写圧力で行われるため、本来ならば切削装置よりも装置剛性を必要としない訳であるが、実際の研磨加工装置は、上記の原因により大型加工物を重切削加工する装置と同じくらい大きくかつ高価な装置となっている。
【００１４】
パラレルリンク機構を用いることによっても工作機械の小型化が図られている。
【００１５】
パラレルリンク機構を持つ工作機械は、特許文献３や特許文献４に開示されている。
【００１６】
特許文献３や特許文献４に開示される発明は、工具スピンドルの移動を制御する構成となってはいるが、これらの工作機械は運動精度が不十分であり、高精度加工用途には使用できないのが現状である。
【００１７】
パラレルリンク機構の場合、ＸＹＺ座標系での工具位置をストラッド伸縮モータの回転角から間接的に推定している。そのため、高精度な位置決めを行うためには、ストラッドの長さやジョイントの位置などの機構的なパラメータを正確に同定する必要がある。しかし、任意の空間内で工具の位置又は主軸先端の位置を正確に特定することは困難であり、当然上記パラメータの同定精度もこの測定精度に準ずることとなる。このため、パラレルリンク機構を用いた加工機械では、位置決め精度は数十〜数百μｍが位置決め精度の限界とされてきた。
【００１８】
パラレルリンク機構の位置決め精度を向上させる方法としては、非特許文献１に開示される手法がある。この手法は、二つの球体を伸縮可能なバーで連結し、その伸縮量を取り込むセンサ、いわゆるダブルボールバー（ＤＢＢ）方を用いる手法である。
【特許文献１】特開平１０−１７５１５０号公報
【特許文献２】特開２００２−０７９４４９号公報
【特許文献３】特開平９−００１４９１号公報
【特許文献４】特開平９−０１９８４２号公報
【非特許文献１】精密工学会誌，Ｎｏ．２，２００３「パラレルメカニズムを用いた三次元座標測定機の構成に関する研究」
【発明の開示】
【発明が解決しようとする課題】
【００１９】
しかし、この手法を用いても、実際の運動部先端（タッチプローブ）は並進運動に加えて、ＸＹＺ各軸周りに３自由度の回転運動を伴うため、機構的なパラメータの同定精度には限界があり、光学素子やその金型を加工するのに適用できる程度の精度を得ることはできない。
【００２０】
このように、従来の研磨装置は、形状創成研磨に必要な装置剛性を確保すると、装置が大型化してしまうという問題があった。
【００２１】
本発明はかかる問題に鑑みてなされたものであり、形状創成加工に必要な剛性を備え従来よりも小型軽量な構成の曲面加工装置及びそのキャリブレーション方法を提供することを目的とする。
【課題を解決するための手段】
【００２２】
上記目的を達成するため、本発明は、第１の態様として、被加工物を載置するワークテーブルとベースプレートとが複数本の伸縮可能な棒状部材で連結され、該棒状部材の伸縮及び旋回によってワークテーブルの位置と傾きとを制御するパラレルリンク機構を備えた曲面加工装置であって、被加工物の加工工具との接点における法線と該加工工具とが為す角度を一定に保つようにワークテーブル側のみの運動によって該被加工物の走査及び傾斜姿勢を制御する手段と、球状又は樽状で弾性を備え加工時には弾性変形を生じて微小面積で被加工物と圧接する加工工具と該被加工物との接触圧を一定に保つ手段と、加工工具の走査速度を制御することにより被加工物に対する加工量を調整する手段と、を有し、加工工具は、樹脂材料を主成分とする多孔質構造であり、研磨材としての砥粒は、加工時に外部から供給しながら走査することを特徴とする曲面加工装置を提供するものである。このようにすることで、軽量かつ省スペースで安価な曲面加工装置を実現できる。可動部分の質量が小さいため、低慣性であり、角度姿勢制御を行いながらも従来よりも高速で加工できる。
【００２３】
また、上記目的を達成するため、本発明は、第２の態様として、被加工物を載置するワークテーブルとベースプレートとが複数本の伸縮可能な棒状部材で連結され、該棒状部材の伸縮及び旋回によってワークテーブルの位置と傾きとを制御するパラレルリンク機構を備えた曲面加工装置であって、ワークテーブルの上面に被加工物を回転させる回転テーブルをさらに備え、被加工物を回転させながら加工工具を走査させ、被加工物の加工工具との接点における法線と該加工工具とが為す角度を一定に保つようにワークテーブル側のみの運動によって該被加工物の傾斜姿勢を制御する手段と、球状又は樽状で弾性を備え加工時には弾性変形を生じて微小面積で被加工物と圧接する加工工具と該被加工物との接触圧を一定に保つ手段と、加工工具の走査速度を制御することにより被加工物に対する加工量を調整する手段と、を有し、加工工具は、樹脂材料を主成分とする多孔質構造であり、研磨材としての砥粒は、加工時に外部から供給しながら走査することを特徴とする曲面加工装置を提供するものである。このようにすることで、軽量かつ省スペースで安価な曲面加工装置を実現できる。可動部分の質量が小さいため、低慣性であり、角度姿勢制御を行いながらも従来よりも高速で加工できる。さらに、軸対称な曲面を高速・高精度に容易に加工できる。
【００２４】
上記本発明の第１の態様又は第２の態様においては、球状又は樽状で弾性を備え加工時には弾性変形を生じて微小面積で被加工物と圧接する加工工具と被加工物との接触圧を一定に保つとともに、加工工具の走査速度を制御することにより被加工物に対する加工量を調整することが好ましい。小径工具を点接触状態で作用させることにより、数ｍｍ波長のうねりやリップル成分を滞留時間制御で動的に除去できる。これにより、従来機のように工具を大面積で作用させ、その粘性及び弾性を利用して平均化する必要が無くなるため、加工効率や精度を向上させられる。
これに加えて、加工工具は、樹脂材料を主成分とする多孔質構造であり、研磨材としての砥粒は、加工時に外部から供給されることがより好ましい。これにより、横軸姿勢での研磨において「工具の浮き上がり」を抑制し、安定した加工精度を長時間維持できる。
【００２５】
または、上記本発明の第１の態様又は第２の態様において、加工工具は、ウレタン、クロロプレンゴム、フェノール樹脂、エポキシ樹脂、ＡＢＳ樹脂及びメラニン樹脂のいずれかを主成分とする結合材中に研磨材としての砥粒を含有するレジン砥石であり、被加工物へ付勢されることによって該被加工物への切り込み量が与えられることが好ましい。このようにすれば、「点接触＋遊離砥粒」の研磨では能率が低いガラスやセラミックといった硬脆性材料に対しても、面品位を確保しつつ、砥粒径増加・工具周速増加が可能となり、加工能率が向上する。
【００２６】
または、上記本発明の第１の態様又は第２の態様において、加工工具は、研磨材としての砥粒を含む流体を噴射するノズルであり、被加工物の表面に砥粒を衝突させて該被加工物の加工面表層を除去することが好ましい。このようにすれば、工具の摩耗や経時変化が問題とならなくなるため、長時間の加工が必要となる大面積ワークに対しても高精度な加工が可能となる。
これに加えて、加工工具の走査速度を変えることにより、被加工物の加工面の除去深さを変化させることがより好ましい。
【００２７】
または、上記本発明の第１の態様又は第２の態様において、加工工具は、単結晶のダイヤモンドバイトであり、被加工物の加工工具との接点における法線と該加工工具の切り込み方向とを一致させることが好ましい。このようにすれば、曲面上に回折パターンを容易に形成できる装置を、軽量・省スペースで安価に実現できる。また、従来機と比較して駆動部の質量が小さく低慣性であるため、ワークテーブルを高速に移動でき、加工効率を向上させることができる。
【００２８】
または、上記本発明の第１の態様又は第２の態様において、加工工具は、単結晶のダイヤモンドバイトであり、切り込み方向の軸周りに回動可能な回転位置決め機構を有し、被加工物の加工工具との接点における法線と該加工工具の切り込み方向とを一致させるとともに、該加工工具の走査方向と該加工工具のすくい面とのなす角度を回転位置決め機構によって制御することが好ましい。このようにすれば、曲面上に回折パターンを容易に形成できる装置を、軽量・省スペースで安価に実現できる。また、従来機と比較して駆動部の質量が小さく低慣性であるため、ワークテーブルを高速に移動でき、加工効率を向上させることができる。さらに、切り込み方向とワーク加工点での法線とを一致させる姿勢制御と、すくい面の為す角度θを制御するすくい面角度制御をワークテーブル側と工具ヘッド側とで別個に行えるため、それぞれの制御指令を別々に導出できることに加え、それぞれの制御もシンプルな手順で行える。
【００２９】
また、上記目的を達成するため、本発明は、第３の態様として、上記本発明の第１の態様又は第２の態様のいずれかの構成にかかる曲面加工装置におけるパラレルリンク機構のキャリブレーション方法であって、ワークテーブル上に球面原器をクランプし、ベースプレートに対するワークテーブルの変位を検出する変位センサと、球面原器表面の傾きを検出するコリメータと、を配置し、コリメータの光軸が球面原器表面と直交する姿勢を維持しつつ該球面原器表面に対して走査するようにワークテーブルを動作させて、該ワークテーブルの実変位及び該実変位に同期した球面原器表面の光軸に対する傾きデータを取得し、実変位と傾きデータとの値に基づいてパラレルリンク機構の位置制御パラメータを同定することを特徴とするパラレルリンク機構のキャリブレーション方法を提供するものである。このようにすれば、パラレルリンク駆動源から出力端であるワークテーブルまでを連結する構成部材の実寸法と位置とを正確に同定できる。よって、従来機と比較して位置決め精度を飛躍的に高めることができる。
【発明の効果】
【００３２】
本発明によれば、形状創成加工に必要な剛性を備え従来よりも小型軽量な構成の曲面加工装置及びそのキャリブレーション方法並びにこの装置で製造した光学素子及び光学素子金型を提供できる。
【発明を実施するための最良の形態】
【００３３】
〔発明の特徴〕
光学面を形成するための入れ子駒は、成形用金型としては小さく、軽量であることから、本発明においてはパラレルリンク機構をワークテーブルの移動機構として用い、ワークテーブル側のみの運動によって走査及び傾斜姿勢制御する構成とした。また、ワークを運動させる構造としては、ベースプレートとワークを固定するワークテーブルとを複数本の伸縮可能なストラッドで連結したパラレルリンク機構を採用し、これと荷重制御機構を持つ研磨ヘッドとを連結する構成とした。
【００３４】
また、パラレルリンクの機構的なパラメータを正確に同定するため、ワークステージの移動量を平行移動成分と回転移動成分とに正確に分離して取得する手段を設けることにより位置決め精度を向上させている。
【００３５】
このような構成とすることにより、従来では実施困難であった、パラレルリンク機構を用いた光学素子加工装置を実現した。
【００３６】
なお、ワーク自体の運動を、直交３軸と回転２軸との組合せによって行うことで、従来機に比べて、２倍以上の加速度でワークを運動させることが可能となる。例えば、研磨機としての使用時の送り速度の上限は、従来機では３００ｍｍ／ｍｉｎであったが、本発明では１０００ｍｍ／ｍｉｎまで高速化することが可能となる。
【００３７】
さらに、従来機においては、装置振動が発生しない範囲での工具の最大走査速度を求め、これを前提にして滞留時間制御用のＮＣデータを生成していたが、本発明においては、最大工具走査速度を２倍に設定可能となったため、滞留時間制御での走査速度を全体的に高めて研磨加工時間を従来機よりも大幅に短縮できる。
【００３８】
またさらに、本発明では余分な並進運動を伴わずに、加工点法線に合わせて工具を任意の傾きで接触させることができる。
【００３９】
従来機ではスライドストロークに十分な余裕を持たせるために装置が大型化していたが、本発明ではそのような無駄を省くことができ、リンク機構の効果も相まって従来加工装置に比べて大幅な小型化が可能であり、低コスト及び省スペース化が可能である。
【００４０】
このような特徴を有する本発明の好適な実施の形態について以下に説明する。
【００４１】
〔第１の実施形態〕
本発明を好適に実施した第１の実施形態について説明する。図１に、ｆθレンズの金型を研磨加工している状態を示す。研磨工具１は、タイヤ形状を有し、不図示の加圧機構がＺ軸方向に発生させている研磨荷重（０．９８Ｎ）によってｆθレンズ金型２に押しつけられている。研磨工具１は、不図示のモータによって回転駆動され、Ｙ方向である紙面垂直方向に走査され、ｆθレンズ金型２の外縁近傍でＸ方向に微小量移動し、再びＹ方向へ走査するという動作を繰り返すことで加工面全域を走査していく。研磨工具１は、木粉を樹脂で固めたものであり、加工点において弾性変形を生じることによりφ０．８程度の接触領域を備える。研磨工具１自体は研磨剤となる砥粒を含まないため、ｆθレンズ金型２の被加工面には１／４μｍ粒径のダイヤモンドペーストが均等な厚さで塗布されており、研磨工具１の回転と走査とによって砥粒が徐々に巻き込まれながら供給されるようになっている。
【００４２】
図３に、研磨工具及びその加圧機構の構成を示す。研磨工具１を駆動するスピンドルモータ１５は、可動ブロック１１に固定されている。可動ブロック１１は、空気静圧スライド１２に沿ってＺ軸方向に移動可能となっており、Ｚ軸方向の移動量は、リニアスケール１４によって視認可能となっている。
【００４３】
加工点における法線と研磨荷重方向であるＺ軸とを常に一致させるために、ストラッド３１の伸縮動作によってワークテーブル３４の傾斜姿勢が制御され、これによりｆθレンズ金型２の傾斜姿勢も制御される。なお、ここではストラッドが６本の構成を例にするが、この本数は任意である。各ストラッド３１は、ベース側ユニバーサルジョイント３２とワークテーブル側ユニバーサルジョイント３３とによって加工機ベッド３７及びワークテーブル３４にそれぞれ固定されている。
【００４４】
ストラッド３１の伸縮動作は、上記の工具走査軌跡を発生させるように、ワークの平行移動的な運動を合わせて発生している。
【００４５】
形状創成のために工具走査速度を加減速するとともに、滞留時間を制御する。
【００４６】
従来機では、工具走査速度上限２００ｍｍ／ｍｉｎを常用域としていたが、本実施形態においては、傾斜制御を伴う工具走査速度の上限を４００ｍｍ／ｍｉｎまで高めた。これにより、滞留時間制御ＮＣデータで０．３〜１．２ｓｅｃ／ｍｍ（Ｆ２００〜５０）の加工条件を０．１５〜１．０５ｓｅｃ／ｍｍ（Ｆ４００〜５７）の条件にシフトすることが可能となり、工具走査１ｍｍ当たり、０．１５ｓｅｃの加工時間短縮が為されるため、走査距離２０００ｍｍ程度のｆθレンズ金型の加工においては、加工時間を約５０分短縮できる。
【００４７】
このように、本実施形態にかかる曲面加工装置は、省スペース化、低コスト化する利点に加え、加工時間の短縮という効果も得られる。
【００４８】
〔第２の実施形態〕
本発明を好適に実施した第２の実施形態について説明する。図２に、本実施形態にかかる曲面加工装置の構成を示す。本実施形態にかかる曲面加工装置は、軸対称である共軸非球面の研磨をも行えるように構成している。
【００４９】
ここでは、第１の実施形態と同様に、ストラッド３１を６本備える構成を例とする。基本的な構成は第１の実施形態にかかる曲面加工装置と同様であるが、本実施形態においては、ワークテーブル３４の上にターンテーブル３５をさらに備えている。なお、図１においては不図示であったロードセル１６は、研磨工具に研磨荷重を付与するための装置である。
【００５０】
共軸非球面の形状誤差は、曲率誤差といった誤差量自体が軸対象成分を持つものと、そうではないアス成分とに区別できる。
【００５１】
ターンテーブル３５を用いて回転対称成分を修正することにより、滞留時間制御のＮＣデータは、ｆθレンズの場合のラスタ走査タイプに比べて極めて簡素化でき、工具走査のための機械的な運動が少なくて済むため、加工精度も高められる。
【００５２】
〔第３の実施形態〕
本発明を好適に実施した第３の実施形態について説明する。図４に示す本実施形態にかかる曲面加工装置は、第２の実施形態における研磨工具１の部分を、砥粒を高速で噴射する高速噴射ノズル４１で置き換えたものである。
【００５３】
砥粒としては、粒径が数μｍからサブミクロン程度のアルミナ又はＳｉＣを用いる。砥粒は、搬送空気流によって砥粒供給路４３から供給され、噴射用の高圧空気は高圧空気供給路４４から供給される。砥粒と高圧空気とは、混合流体４２として高速噴射ノズル４１から被加工物である共軸非球面レンズ金型２２の加工面上へ噴射される。
【００５４】
このとき、砥粒の衝突エネルギーによって被加工物の加工面の表層が除去されていく。加工深さは、研磨の場合と同様で、工具の滞留時間に比例する特性を持つ。このため、上記実施形態と同様に、滞留時間の制御によって高精度な形状創成が可能である。
【００５５】
なお、加工方式上砥粒が飛散しやすいため、加工装置の摺動部には、砥粒の侵入を防ぐ防塵カバー３６が設けられている。
【００５６】
共軸非球面レンズ金型２２を自転させつつ高速噴射ノズル４１の向きを加工点法線と一致させ、外周から中心に向かって走査してゆくことで、共軸非球面レンズ金型２２の加工面全域を加工できる。
【００５７】
〔第４の実施形態〕
本発明を好適に実施した第４の実施形態について説明する。図５に、本実施形態にかかる曲面加工装置の構成を示す。
本実施形態にかかる曲面加工装置は、第２の実施形態における研磨工具１の部分を、単結晶ダイヤモンドバイト５１で置き換えた構成である。ダイヤモンドバイト５１は、回転制御機構５２によって、回転駆動されるとともに位置決めがなされる。
【００５８】
共軸非球面レンズ金型２２を自転させつつ、その表面に単結晶ダイヤモンドバイト５１で切り込むことで同心円状の溝を形成する。単結晶ダイヤモンドバイト５１は、剣先状でその先端の丸まりはＲ＝１μｍ以下、先端角は９１°である。また、切り込み方向は、図５中のＺ軸方向であり、上記各実施形態と同様に、共軸非球面レンズ金型２２の外周から中心へ向かって単結晶ダイヤモンドバイト５１を走査していくことで加工面全域を加工する。
【００５９】
工具を接触させたまま走査すると渦巻き状の溝が形成されるため、定位置で切り込んだ後、一旦工具をワークから離し、共軸非球面レンズ金型２２の回転半径方向に微少量移動し、底を定位置として切り込み動作を繰り返すことによって、曲面上に同心円状の溝を形成する。
【００６０】
工具の接触点における法線と切り込み方向であるＺ軸との為す角は、任意に設定でき、一定角に保つことも、回転半径に応じて変化させることも可能である。
【００６１】
図６に、共軸非球面レンズ金型２２の表面に同心円状のＶ字溝２２ａを形成した状態を示す。
【００６２】
図７に、Ｖ溝の開き角度を高精度に仕上げる手段を示す。単結晶ダイヤモンドバイト５１はワークの自転によってワーク表面に対して工具軌跡５５を形成する。このような円弧又は曲線の軌跡において、任意の位置における工具の進行方向は、その工具の軌跡の接線に等しい。図７ので、工具軌跡の接線５３とすくい面とが為す角をθとするとき、θ＝９０°の時はダイヤモンドバイト５１の先端角α０が、そのままの大きさで正確にワークへ作用することとなる。
【００６３】
図９に、パラレルリンク機構制御パラメータ同定のためのキャリブレーション動作を示す。制御パラメータとは、ストラッド３１の実際の長さや実際のジョイント位置（ベース側ユニバーサルジョイント３２及びワークテーブル側ユニバーサルジョイント３３）が相当し、パラレルリンク駆動源から出力端であるワークテーブル３４までを連結する構成部材の実寸法と位置とを指している。これが現物通り正確に同定できれば、従来１０ミクロン程度が限界とされてきた位置決め精度を飛躍的に高めることが可能となる。
【００６４】
ここでは、第３の実施形態や第４の実施形態にかかる曲面加工装置のフレームに適用する場合について説明したが、オートコリメータ６１を配置することで第２の実施形態にかかるの曲面加工装置のフレームにも適用可能である。
【００６５】
オートコリメータ６１は。光軸がＺ軸と平行になる姿勢でコラム８７に取り付けられている。オートコリメータの対物レンズ６２の光軸は、第３の実施形態及び第４の実施形態における高速噴射ノズル４１やダイヤモンドバイト５１の中心線とほぼ一致する位置関係にある。
【００６６】
光軸の延長線と被加工面との交点をＰとし、Ｐ点における法線ベクトルｎを図示する。ワークテーブル３４にクランプされている球面原器６４は、ガラス製であり曲率半径が１００ｍｍ、直径はφ８０ｍｍである。球面原器６４は、実際の加工物の近似曲率半径に極力近いものが用いられる。
【００６７】
ダブルボールバー６７は、ワークテーブル３４の加工機ベッド３８に対する相対変位を検出するためのセンサである。このセンサでは、ワークテーブル３４の傾きを含まない平行移動成分を検出している。ダブルボールバー６７の移動球の曲率中心（図９中の点Ｑ）と球面原器６４との位置関係は、三次元測定機によって事前に正確に取得されている。この位置情報から、点Ｐにおける法線ベクトルｎ６３と光軸とが一致した際のダブルボールバー６７の位相角ω及び伸縮長さＬのそれぞれの理論値であるωthとＬthトを求めることができる。ここでの位相角ωとは、加工機ベッド３７側の移動球の中心（図９中の点Ｏ）とワークテーブル３４側の移動球の中心（点Ｑ）とを結んだ線分ＯＱをＸＹ平面に投影した線がＸ軸と為す角度である。
【００６８】
現状のパラレルリンク機構のパラメータにおいて、加工領域全域をカバーするようにオートコリメータスポットを走査し、各位置でのωとＬとをダブルボールバー６７から取得する。オートコリメータ６１は、その光軸がＸＹ平面と直交するようにセットされているため、角度姿勢誤差β、γを取得できる。γは、オートコリメータ６１の光軸と、光軸上の点Ｐにおける法線がなす角度であり、γはその位相角を示している。位相角γとは、先のωと同様に、法線ベクトルｎ６３をＸＹ平面に投影した線がＸ軸と為す角度である。
【００６９】
図１０に、位相角の位置関係を示す。オートコリメータ６１の光軸とＺ軸とは平行であるため、Ｚ軸を光軸と見なすことができる。
【００７０】
位相角ω及び伸縮長さＬの実測値と理論値とからズレ量Δω、ΔＬを求め、β、γ、Δω、ΔＬの四つの誤差成分が評価域全域においてなるべく小さくなるようにパラレルリンク機構パラメータを同定する。この作業においては、リンク構造から解析式を導出しておけば、電子計算機を用いた収束演算によって、人手をかけることなく自動で最適パラメータを求められる。
【００７１】
解析式自体も平行移動成分を示すΔω及びΔＬと回転姿勢成分を示すβ及びγに分離されているため、より簡単な構成とすることができ、収束演算における計算量も比較的少量に抑えられる。
【００７２】
凹面となる曲面上に図６に示すような同心円状のブレーズパターンを形成する場合加工方法を図１１に示す。剣先形状のダイヤモンドバイトで切り込むとともに、被加工面を自転させて加工することが一般的である。ここではＶ溝用のバイトを用いているが、実際にダイヤモンド工具を制作する上で誤差なくねらいの先端角に作り込むことは困難である。このため、工具先端角誤差を補正する必要がある。図１１において、すくい面のなす角をθ＝９０°としたとき、形成されるＶ溝の開き角をα０とする。θの角度を減少又は増加させて９０°から離していくと、工具先端角はα０→α１のように小さく作用することとなる。
予め工具先端角を大きめにして工具を製作しておき、加工時にθを調整することで、より正確な開き角を持つＶ溝を形成できる。
【００７３】
本実施形態においては、回転位置決め機構５２によって工具軌跡に合わせてθを正確に制御可能である。このため、工具走査とθとを同時制御することで、同心円のみならずそれ以外の任意の曲線溝加工において、Ｖ溝の開き角を数秒の誤差で正確に形成可能である。
【００７４】
なお、上記各実施形態は、本発明の好適な実施の一例であり、本発明はこれらに限定されることはない。
例えば、上記各実施形態においては、加工工具の一例として、回転工具やダイヤモンドバイトをあげたが、本発明はこれら以外の加工工具を用いる装置にも適用可能である。
このように、本発明は様々な変形が可能である。
【産業上の利用可能性】
【００７５】
本発明は、加工面に対して小径の研磨工具をトラバースし、被加工面の形状誤差を修正する研磨加工法全般に適用可能である。平面及び曲面の光学素子並びにその金型の形状修正加工、又は切削工具に適用することで、曲面を持つ回折パターンの加工や、フレネルレンズの加工等を容易に行える。
【図面の簡単な説明】
【００７６】
【図１】本発明を好適に実施した第１の実施形態にかかる曲面加工装置の構成を示す図である。
【図２】本発明を好適に実施した第２の実施形態にかかる曲面加工装置の構成を示す図である。
【図３】加圧機構の構成を示す図である。
【図４】本発明を好適に実施した第３の実施形態にかかる曲面加工装置の構成を示す図である。
【図５】本発明を好適に実施した第４の実施形態にかかる曲面加工装置の構成を示す図である。
【図６】共軸非球面レンズ金型の外観を示す図である。
【図７】工具の動きと加工面との関係を示す図である。
【図８】ゴニオステージを用いた曲面加工装置の構成を示す図である。
【図９】パラレルリンク機構制御パラメータ同定のためのキャリブレーション動作を示す図である。
【図１０】加工面の法線ベクトルと位相角との関係を表す図である。
【図１１】曲面上にブレイズパターンを形成する場合の工具の動きを示す図である。
【符号の説明】
【００７７】
１    研磨工具
２    ｆθレンズ金型（入れ子）
１１    可動ブロック
１２    空気静圧スライド
１３    研磨荷重制御用エアシリンダ
１４    リニアスケール
１５    スピンドルモータ
１６    ロードセル
２２    共軸非球面レンズ金型（入れ子）
３１    ストラッド
３２    ベース側ユニバーサルジョイント
３３    ワークベース側ユニバーサルジョイント
３４    ワークテーブル
３５    ターンテーブル
３６    防塵カバー
３７    加工機ベッド
４１    高速噴射ノズル
４２    砥粒
４３    砥粒供給路
４４    高圧空気供給路
５１    ダイヤモンドバイト
５１ａ    バイトのすくい面
５２    回転位置決め機構
５３    工具軌跡の接線
５５    工具軌跡
６１    オートコリメータ
６２    オートコリメータの対物レンズ
６３    Ｐ点における法線ベクトル
６４    球面原器
６５    移動球の球面座
６６    移動球
６７    伸縮バー
６８    固定球
６９    固定球の球面座
１０１    固定ベース
１０２    片持ち支持部材
１０３    コロ軸受付きダイレクトドライブモータ
１０４    スインガ
１０６    サブスインガ（ゴニオステージ）
１０７    マグネットベッド
１０８    揺動角規制センサ
１１０    研磨対象部材
【図１】
0004662018.tif 000002
【図２】
0004662018.tif 000003
【図３】
0004662018.tif 000004
【図４】
0004662018.tif 000005
【図５】
0004662018.tif 000006
【図６】
0004662018.tif 000007
【図７】
0004662018.tif 000008
【図８】
0004662018.tif 000009
【図９】
0004662018.tif 000010
【図１０】
0004662018.tif 000011
【図１１】
0004662018.tif 000012